(57)【要約】本発明は自動車の通信システムに関する。この通信システムでは、自動車内に移動無線コネクションを確立するための通信装置（１０１）が設けられており、この通信装置（１０１）はそれに加え短距離通信装置を有する。外部の移動無線機器（１１８；１１９）は同様に付加的にそのよな短距離無線装置を有する。移動無線機器（１１８；１１９）が車両における通信装置（１０１）の短距離無線装置の無線領域内に進入すると、機器間のデータ交換が短距離無線コネクションを介して行われる。車両の通信装置における比較モジュールは受信したデータと記憶されているデータを、移動無線機器（１１８；１１９）の検出を内容とする所定の指標に関して比較する。認証された移動無線機器（１１８；１１９）が検出されると、自動的にコールの経路変更をセルラ移動無線ネットワークにおいて起動する。さらには、相応の通信装置（１０１）並びに通信システムを動作させるための方法が提案される。
2004509494.tif 000002
【特許請求の範囲】
【請求項１】
入力ユニット（１０３）と、制御ユニット（１０２）と接続されている音響的な出力ユニット（１０４〜１０６）と、前記制御ユニット（１０２）と接続された、セルラ移動無線システムの移動無線モジュール（１０８）とを備えた自動車の通信装置において、
通信装置（１０１）は前記制御ユニット（１０２）と接続された短距離無線装置を有し、
該短距離無線装置は短距離無線コネクションを介するデータ交換のために設計されており、
前記通信装置（１０１）は、前記短距離無線コネクションを介して受信したデータとメモリ素子（１１２）に記憶されているデータとを比較する比較モジュールを有し、
受信したデータと記憶されているデータとが所定の指標に関して一致する場合には、状態メッセージを伝送する移動無線コネクションが前記移動無線システム内に自動的に確立されることを特徴とする、通信装置。
【請求項２】
前記状態メッセージは前記移動無線システムにおけるコールの経路変更に関する、請求項１記載の通信装置。
【請求項３】
前記通信装置（１０１）はハンドフリー装置を有する、請求項１または２記載の通信装置。
【請求項４】
前記通信装置（１０１）は、オーディオシステム、マルチメディアシステム、テレマティックシステムまたはナビゲーションシステムの構成部分である、請求項１から３のいずれか１項記載の通信装置。
【請求項５】
セルラ移動無線システムはＧＳＭまたはＵＭＴＳ規格によるシステムである、請求項１から４のいずれか１項記載の通信装置。
【請求項６】
前記短距離無線コネクションの距離範囲は１００ｍ以下、有利には１０ｍ以下である、請求項１から５のいずれか１項記載の通信装置。
【請求項７】
前記短距離無線装置はブルートゥース規格により動作する、請求項１から６のいずれか１項記載の通信装置。
【請求項８】
車両内に統合された通信装置（１０１）を有する通信システムにおいて、
該通信装置（１０１）は入力ユニット（１０３）と、制御ユニット（１０２）と接続されている音響的な出力ユニット（１０４〜１０６）と、前記制御ユニット（１０２）と接続されている、セルラ移動無線システムの移動無線モジュール（１０８）と、前記制御ユニット（１０２）と接続されている短距離無線装置と、２つの短距離無線装置を有する、セルラ移動無線システムの外部の移動無線機器（１１８；１１９）とを備え、
前記短距離無線装置は短距離無線コネクションを介したデータ交換のために設計されており、
前記通信装置（１０１）は、前記移動無線機器（１１８；１１９）から前記短距離無線コネクションを介して受信したデータと、メモリ素子（１１２）に記憶されているデータとを比較する比較モジュールを有し、
受信したデータと記憶されているデータとが所定の指標に関して一致する場合には、状態メッセージを伝送する移動無線コネクションが前記移動無線システム内に自動的に確立されることを特徴とする、通信システム。
【請求項９】
前記状態メッセージは前記移動無線機器（１１８；１１９）から前記通信装置（１０１）へのコールの経路変更に関する、請求項８記載の通信システム。
【請求項１０】
前記セルラ移動無線システムには、前記移動無線機器（１１８；１１９）の前記通信装置へのコールの経路変更のための権限が格納されている、請求項８または９記載の通信システム。
【請求項１１】
前記通信装置（１０１）はハンドフリー機能を有する、請求項８から１０のいずれか１項記載の通信システム。
【請求項１２】
前記セルラ移動無線システムはＧＳＭまたはＵＭＴＳ規格によるシステムである、請求項８から１１のいずれか１項記載の通信システム。
【請求項１３】
前記短距離無線コネクションの距離範囲は１００ｍ以下、有利には１０ｍ以下である、請求項８から１２のいずれか１項記載の通信システム。
【請求項１４】
前記短距離無線装置はブルートゥース規格により動作する、請求項８から１３のいずれか１項記載の通信システム。
【請求項１５】
前記所定の指標は前記移動無線機器（１１８；１１９）の機器検出である、請求項８から１４のいずれか１項記載の通信システム。
【請求項１６】
前記通信装置（１０１）は、前記セルラ移動無線システムに対する加入者識別モジュール（１１０）としてのチップカードを有する、請求項８から１５のいずれか１項記載の通信システム。
【請求項１７】
前記移動無線機器（１１８；１１９）は、前記セルラ移動無線システムに対する加入者識別モジュールとしてのチップカードを有する、請求項８から１６のいずれか１項記載の通信システム。
【請求項１８】
前記通信措置（１０１）の加入者識別モジュール（１１０）によって専ら、前記移動無線システムの、車両の動作に関するサービスが起動される、請求項８から１７のいずれか１項記載の通信システム。
【請求項１９】
前記移動無線機器（１１８；１１９）に対してコールの経路変更が起動される場合には、前記移動無線機器の加入者識別モジュールによって清算される通話またはデータ転送が通信装置（１０１）を介して実施される、請求項８から１８のいずれか１項記載の通信システム。
【請求項２０】
前記移動無線機器（１１８；１１９）から前記通信装置（１０１）へのコールの経路変更が起動されている場合でも、該移動無線機器（１１８；１１９）を介する通話は可能であり、通話を前記短距離無線コネクションを介して転送する、請求項８から１９のいずれか１項記載の通信システム。
【請求項２１】
前記移動無線機器（１１８；１１９）が前記短距離無線コネクションの距離範囲を離れた場合には、前記コールの経路変更が解除される、請求項８から２０のいずれか１項記載の通信システム。
【請求項２２】
１つ以上の移動無線機器を有する、請求項８から２１のいずれか１項記載の通信システム。
【請求項２３】
それぞれ１つの短距離無線装置を有する、セルラ移動無線システムの第１の移動無線機器と第２の移動無線機器との間において対話式のコールの経路変更を確立する方法において、
前記第２の移動無線機器が前記第１の移動無線機器の短距離無線装置の距離範囲領域に進入すると、該第１の移動無線機器と該第２の移動無線機器との間でデータを交換するステップと、
前記短距離無線コネクションを介して交換されたデータに基づき第２の移動無線機器を識別及び認証するステップと、
前記第２の移動無線機器から前記第１の移動無線機器へのコールの経路変更を該移動無線機器の移動無線システムにおいて確立するステップとを有することを特徴とする、コールの経路変更を確立する方法。
【請求項２４】
前記第２の移動無線機器から前記第１の移動無線機器へのコールの経路変更に対する権限が前記セルラ移動無線システムに登録されているか否かを検査する、請求項２３記載の方法。
【請求項２５】
前記セルラ移動無線システムにおいて一度、前記第２の移動無線機器から前記第１の移動無線機器へのコールの経路変更に対する権限を格納する、請求項２３または２４記載の方法。
【請求項２６】
前記セルラ移動無線システムはＧＳＭまたはＵＭＴＳ規格によるシステムである、請求項２３から２５のいずれか１項記載の方法。
【請求項２７】
前記短距離無線装置はブルートゥース規格により動作する、請求項２３から２６のいずれか１項記載の方法。
【請求項２８】
前記移動無線機器は加入者識別モジュールを有する、請求項２３から２７のいずれか１項記載の方法。
【請求項２９】
前記第２の移動無線機器から前記第１の移動無線機器へのコールの経路変更が起動されると、通話またはデータ転送を前記セルラ移動無線システムにおいて前記第１の移動無線機器を介して実施し、前記移動無線コネクションの料金精算を前記第２の移動無線機器の加入者識別モジュールによって行う、請求項２３から２８のいずれか１項記載の方法。
【請求項３０】
前記第２の移動無線機器から前記第１の移動無線機器へのコールの経路変更が起動されている場合であっても、通話を前記セルラ移動無線システムにおいて行い、前記移動無線コネクションを第１の移動無線機器から確立し、前記第１の移動無線機器と前記第２の移動無線機器との間の通話転送を前記短距離無線コネクションを介して行う、請求項２３から２９のいずれか１項記載の方法。
【請求項３１】
前記第１の移動無線機器と前記第２の移動無線機器との間の短距離無線コネクションをもはや確立不可能である場合には、前記コールの経路変更を自動的に解除する、請求項２３から３０のいずれか１項記載の方法。
【請求項３２】
前記第１の移動無線機器はサーバ機能を担い、２つ以上の移動無線機器間のコールの経路変更を可能にする、請求項２３から３１のいずれか１項記載の方法。
【請求項３３】
通話の授受を前記移動無線機器の間で実施する、請求項２３から３２のいずれか１項記載の方法。
【請求項３４】
前記第１の移動無線機器は自動車のテレマティック機器の構成部分である、請求項２３から３３のいずれか１項記載の方法。
【請求項３５】
前記第１の移動無線機器はハンドフリー機能を有する、請求項２３から３４のいずれか１項記載の方法。
【発明の詳細な説明】
【０００１】
本発明は、制御ユニットと接続されている、入力ユニット及び音響的な出力ユニットと、制御ユニットと接続されている、セルラ移動無線システムの移動無線モジュールとを備えた通信装置に関する。さらに本発明は、車両に統合された通信装置と、セルラ移動無線システムの外部移動無線機器とを備えた通信システムに関する。さらに本発明は、セルラ移動無線システムの第１の移動無線機器と第２の移動無線機器との間において対話式のコールの経路変更を確立する方法に関する。
【０００２】
従来では自動車の通信装置として主に伝統的な自動車電話が使用されていた。この自動車電話は車両内に取り付けられた移動無線電話であり、この移動無線電話を受話器またはハンドフリー装置を介して操作することができる。そのような自動車電話を自動車のオーディオ機器に統合できることも既に公知である。このような機器は例えば古典的なラジオ受信器、ＣＤ再生装置及びカーラジオを含み、装置全体は従来のカーラジオの大きさを上回っておらず、また車両におけるＤＩＮ規格の空間内に取り付けることができる。そのような実施形態では、オーディオ機器のスピーカがコールを出力するためにも使用される。機器に付加的に統合されたマイクロフォンによってハンドフリー機能が実現される。そのようなシステムの欠点は、車両内でしか使用できず、ドライバとは固有の電話番号によって車両内でしか連絡がとれないということである。さらには、電話機に対するコストが比較的高く、またその使用範囲は自動車に制限されていることも欠点である。
【０００３】
さらには、例えばａｕｔｏ， ｍｏｔｏｒ， ｓｐｏｒｔ ７／１９９９，の第１４０から１４２頁に記載されているＡＤＡＣ−Ｔｅｌｅｍａｔｉｋ Ｓｅｒｖｉｃｅ−Ｋｉｔ．のような、いわゆるテレマティックシステムが公知である。このテレマティックシステムは、サテライトナビゲーション信号の評価により自動車を正確に位置標定するためのＧＰＳ受信器及び操作部を備えたテレマティック制御ユニットを包含する。テレマティック制御ユニットは、別個の移動無線電話と接続されている。移動無線コネクションを介して、非常呼出機能及び故障救援機能を使用することができる。さらには交通情報を得ることもできる。統合されたハンドフリー装置は走行中に使用することもできる。
【０００４】
未公開のドイツ連邦共和国特許明細書第１９９　２１　５３３．２号からは自動車の通信システムが公知であり、この通信システムはカーラジオ及び移動無線電話から構成されている。カーラジオにもまた移動無線電話にも短距離無線装置が統合されており、この短距離無線装置を介して自動的にカーラジオと移動無線電話との間のコネクションを確立することができ、この際カーラジオは移動無線電話の代わりにハンドフリー装置の機能を担う。このシステムにおいても前述したテレマティックシステムにおいても、例えば非常呼出または故障救援または交通情報の要求のような車両固有の機能は、外部の移動無線電話が車両内に持ち込まれている場合しか可能でないという欠点がある。
【０００５】
本発明の第１の課題は、１つまたは複数の外部の移動無線機器と共に使用することができる、例えばハンドフリー装置としての通信装置を提供することであり、ここで例えば異なるユーザが車両を使用する場合、ユーザ固有の清算が可能であり、しかしながらそれと同時にユーザに依存せずに自動車の動作に関連する所定の機能も実施できる。本発明の別の課題は、自動車に統合された通信装置並びに外部の移動無線機器を含み、さらに前述の機能性を有する、自動車の通信システムを提供することである。本発明の第３の課題は、セルラ移動無線システムの第１の移動無線機器と第２の移動無線機器との間において対話式のコールの経路変更を確立する方法を提供することであり、この方法は前述の通信システムにおける使用に殊に適している。
【０００６】
第１の課題は、独立請求項の上位概念記載の通信装置において、通信装置が制御ユニットと接続された短距離無線装置を有し、この短距離無線装置は短距離無線コネクションを介したデータ交換のために設計されており、通信装置が短距離無線コネクションを介して受信したデータをメモリ素子に記憶されているデータと比較するための比較モジュールを有し、受信したデータと記憶されているデータが所定の指標に関して一致する場合には、状態メッセージを伝送する移動無線コネクションが移動無線システム内に自動的に確立されることによって解決される。
【０００７】
第２の課題は、制御ユニットと接続されている、入力ユニット及び音響的な出力ユニットと、制御ユニットと接続されている、セルラ移動無線システムの移動無線モジュールと、制御ユニットと接続されている短距離無線装置とを備えた車両に統合された通信装置、並びに第２の短距離無線装置を有する、セルラ移動無線システムの外部移動無線機器を備えた移動無線システムによって解決され、ここで、短距離無線装置は短距離無線コネクションを介したデータ交換のために設計されており、通信装置は移動無線機器から短距離通信コネクションを介して受信したデータと、通信装置のメモリ素子に記憶されているデータとを比較するための比較モジュールを有し、受信したデータと記憶されているデータとが所定の指標に関して一致する場合には、状態メッセージを伝送する移動無線コネクションを移動無線システム内に自動的に確立することができる。状態メッセージは例えば移動無線システムにおけるコールの経路変更に関する。
【０００８】
したがって本発明による通信システムは２つの構成要素からなる。すなわち１つは自動車の本発明による通信装置であり、もう１つは外部の移動無線機器、ここでは例えば移動無線電話（携帯電話）である。自動車における通信装置は既にセルラ移動無線システムの移動無線モジュール並びに入力ユニット及び音響的な出力ユニットを有している。これらの構成要素によって通信装置は既に移動無線コネクションの準備がされており、したがって非常呼出または故障救援または交通情報の要求を送信するためにも適している。相応の構成要素はそれ自体公知のものであり、冒頭で述べたシステムに使用される構成要素に対応する。
【０００９】
それに加え通信装置は短距離無線装置を有し、この短距離無線装置は通信装置の制御ユニットと接続されている。したがって、セルラ移動無線システムの移動無線モジュールを介して広帯域無線コネクションを確立することができ、他方では短距離無線装置によって典型的には１００ｍ以下、有利には１０ｍ以下の比較的短い距離にわたる外部機器との無線コネクションを確立することができる。外部の移動無線機器も同様にそのような短距離無線装置を有する。
【００１０】
外部の移動無線機器が通信装置における短距離無線装置の無線領域に進入すると直ぐに、外部の移動無線機器と車両内の通信装置との間でデータを自動的に交換することができる。さらに車両内の通信装置は、移動無線機器から短距離無線コネクションを介して受信したデータと、メモリ素子に記憶されているデータとを比較する比較モジュールを有する。ここで比較モジュールは有利にはコンピュータプログラムとして設計されており、このコンピュータプログラムは制御ユニットにおいて実行される。所定の比較によって、外部の移動無線機器が認証された機器であるか否かが検査される。この比較において受信したデータと記憶されているデータとが所定の指標に関して一致することが確認されると、状態メッセージを伝送する移動無線コネクションが移動無線システム内に自動的に確立される。
【００１１】
移動無線コネクションの自動的な確立とは、ユーザが介在すること無く完全に自動的に確立されるという以外にも、ユーザは先ずこの無線コネクションの確立に同意しなければならない方式、または確立を起動する方式、しかしながらその他にはコネクションが自動的に確立される方式と解される。
【００１２】
したがって本発明による通信装置ないし本発明による通信システムの利点は先ず以下の点にある。すなわち、ドライバとは走行中でも車両内で携帯可能な移動無線機器の電話番号を使用して連絡を取ることができ、しかしながら同時にドライバは車両内に取り付けられた通信装置の機能、例えばハンドフリー機能を使用できるということである。ここで例えば以下のことも行うことができる。すなわち、車両の通信装置及び車両において必要とされる加入者識別モジュール（ＳＩＭカード）によって、例えば緊急呼出及び故障救援または交通情報のような車両に関するサービスのみを使用することができる。これに対して、インターネットアクセスまたは（ダイヤルした番号によって区別される）その他の通話のようなドライバに関するサービスは、この場合外部の移動無線機器の加入者識別モジュール（ＳＩＭカード）によって実現されるが、ドライバはそれと同時に車両に取り付けられた通信装置の機能を使用することができる。したがってドライバに関するこれらのサービスに対しても、例えばハンドフリー装置、入力ユニットまたは移動無線アンテナのような通信装置の構成要素を、セルラ移動無線システム内の通信における伝送品質、安全性及び確実性を改善するために使用することができる。
【００１３】
通信装置は例えば、オーディオシステム、マルチメディアシステム、テレマティックシステムまたはナビゲーションシステムの構成部分であってよい。これによってこのシステムの構成要素もまた使用することができる。オーディオシステムと組み合わせる場合には、たとえばオーディオシステムのスピーカを音響的な出力ユニットとして使用することができる。マルチメディアシステムと組み合わせる場合には同様に、マルチメディアシステムのスピーカを音響的な出力ユニットとして使用することができ、またマルチメディアシステムの入力ユニットも使用することができる。テレマティックシステムの構成部分として、通信装置は例えばＧＰＳ受信装置と接続されている。それらのシステムはそれ自体公知であり、冒頭で述べたものである。通信装置をナビゲーションシステムと接続する場合には、例えば移動無線ネットワークを介して受信される交通情報をルート算出時に考慮することができる。
【００１４】
セルラ移動無線システムは例えばＧＳＭまたはＵＭＴＳ規格のシステムである。これによって、通信装置は有効範囲をカバーして動作することができ、複数の外部の移動の無線機器と問題なく組み合わせることができる。
【００１５】
通信装置と外部の移動無線機器との間のコネクションを形成するために、短距離無線通信の距離範囲は１０ｍに満たないもので十分である。短距離無線コネクションの距離範囲が車両の状態に適合されることによって、通信装置が車両外の認証されない移動無線機器、例えば歩行者または他のドライバの移動無線機器と恒常的に対面（ｃｏｎｆｒｏｎｔ）されることはない。いわゆるブルートゥース規格に応じて動作する短距離無線装置は殊に有利なものと見なされる。相応の短距離無線装置は既に冒頭で述べたドイツ連邦共和国特許明細書第１９９　２１　５３３．２号に記載されている。
【００１６】
本発明による通信システムではセルラ移動無線システム内に、外部の移動無線機器から車両内の通信装置へのコールの経路変更の権限が格納される。そのような格納はただ一度しか必要とされず、その後はコールの経路変更を自動的に起動することができる。
【００１７】
本発明の特別な実施形態では、車両内の通信装置の加入者識別モジュール（ＳＩＭカード）によって、自動車の動作に関するセルラ移動無線システムのサービスのみが起動される。これによって人間及び車両に関するサービス、またテレマティックサービス、遠隔通信サービス、遠隔測定サービスのための機能を容易に切断及び接続することができる。このことは例えば、異なるユーザによって使用される車両では有利であり、このような車両は頻繁には例えばレンタカー、会社の車または同様のものである。
【００１８】
さらには、移動無線機器から車両の通信装置へのコールの経路変更が起動されている場合でも、移動無線機器を介して通話を行うことができる。移動無線ネットワーク内の移動無線コネクションは、車両内の通信装置の構成要素を介して行われ、通話は車両の通信装置から短距離無線コネクションを介して移動無線機器へと転送される。これによって例えば、通信装置のハンドフリー装置にアクセスしない車両の後部座席に居る同乗者によっても通話を行うことが可能である。
【００１９】
有利には、移動無線機器が短距離無線コネクションの距離範囲を離れたときに、コールの経路変更は自動的に解除される。これによってドライバが車両を離れたとしても、別個の操作は必要とされずに移動無線機器を介して再び連絡を取ることができる。
【００２０】
通信システムを例えば、１つ以上の外部移動無線機器と協働させるために設計することもできる。このことは、車両内に複数の同乗者が居る場合でも、例えば通信装置のアンテナを使用することによってより良好な機能が達成され、他方ではそれと同時にそれぞれの同乗者は自身の移動無線機器から通話を行うことができ、またそれぞれの移動無線機器の加入者識別によって通話料が精算されるという利点を有する。
【００２１】
対話式のコールの経路変更を確立するための本発明による方法は、車両の通信装置と１つの外部移動無線機器の組み合わせにのみ制限されるのではなく、一般的に移動無線機器が２つまたはそれ以上の場合にも適用できる。それぞれ１つの短距離無線装置を有するセルラ移動無線システムの第１の移動無線機器と第２の移動無線機器との間において対話式のコールの経路変更を確立するための本発明による方法は、以下のステップによって特徴付けられている。
−第２の移動無線機器が第１の移動無線機器の短距離無線装置の距離範囲に進入すると、第１の移動無線機器と第２の移動無線機器との間でデータを交換する。
−短距離無線コネクションを介して交換されたデータに基づき、第２の移動無線機器を識別及び認証する。
−第２の移動無線機器から第１の移動無線機器へのコールの経路変更を移動無線機器の移動無線システムにおいて確立する。例えばそのような方法では、第２の移動無線機器から第１の移動無線機器へのコールの経路変更に対する権限がセルラ移動無線システムに登録されているか否かについても検査される。
【００２２】
有利には、第２の移動無線機器から第１の移動無線機器へのコールの経路変更が起動されているときに、通話またはデータ転送をセルラ移動無線システムにおいて第１の移動無線機器を介して実施できる場合には有利であり、移動無線コネクションの料金の精算は第２の移動無線機器の加入者識別モジュールによって行われる。これによって例えば、第１の移動無線機器のより高度な機能ないしより簡潔な操作性を使用することができ、しかしながら他方では通話の清算が第２の移動無線機器を介して行われ、これにより通話料金を別個のものにすることができる。
【００２３】
本発明による方法の特別な実施形態においては、第１の移動無線機器がサーバ機能を担い、２つ以上の移動無線機器間でのコールの経路変更が可能である。複数の移動無線機器から常にサーバ機能を備えた第１の移動無線機器へのコールの経路変更が可能である。これによって電話機の機能を確立することができ、送出される通話は常に第１の移動無線機器を介して移動無線ネットワークに送信されるが、料金の精算は個人に関して異なる移動無線機に割り当てることができる。
【００２４】
例えば、移動無線機器間の通話の授受を実施することができる。これによって、本発明による方法に関連する任意の移動無線機器における通話を行うことができる。別の有利な構成は従属請求項に記載されている。
【００２５】
本発明を以下実施例及び図面に基づき詳細に説明する。ここで図１は、本発明による通信装置及び本発明による通信システムの実質的な構成要素を示す。図２は、初回の登録及びそれと同時に行われる移動無線ネットワークにおけるコールの経路変更を起動するための第１の方法の経過である。図３は、到来する通話のコールの経路変更を行うための方法の経過である。図４は、第２の移動無線機器のコールの経路変更を行うための方法の経過である。図５は、送出された通話のコールの経路変更を行うための方法の経過である。
【００２６】
図１には一例として本発明による通信システムが図示されている。通信システムは、車両内に配置されている通信装置１０１を有する。通信装置１０１における中央の構成要素は制御ユニット１０２である。制御ユニット１０２は入力ユニット１０３と接続されている。制御ユニット１０２はさらに音響的な出力ユニットと接続されており、この出力ユニットはＮＦコントローラ及びアンプ１０４並びにＮＦコントローラ１０４と接続されたスピーカ１０５、１０６を包含する。ＮＦコントローラ１０４はさらにマイクロフォン１０７と接続されている。さらに通信装置１０１は移動無線モジュール１０８を有する。移動無線モジュール１０８は無線コネクションを、例えばＧＳＭまたはＵＭＴＳ規格によるセルラ移動無線ネットワークにおいて確立するために必要とされる構成要素を有する。ここでの移動無線モジュールの構成部分は、例えば送信／受信装置である。移動無線モジュール１０８はアンテナ１０９と接続されており、このアンテナ１０９は高品質の移動無線コネクションを確立できるようにするために、通常の場合車両の外部に取り付けられている。さらに移動無線モジュール１０８の構成部分は、公知のようにＳＩＭカードとして従来の移動無線機器を構成している加入者識別モジュール１１０である。上記の構成要素を含めて、通信装置はセルラ移動無線ネットワークにおける移動無線トラフィックのために設計されている。例えばマイクロフォン１０７及びスピーカ１０５、１０６によってハンドフリー機能が実現されている。
【００２７】
ここで通信装置１０１は付加的にそれ自体は公知のトランシーバ１１１を有し、このトランシーバ１１１は例えばブルートゥース規格による短距離無線装置として設計されている。トランシーバ１１１は適当な送信／受信アンテナ１１３と接続されている。さらにトランシーバ１１１は制御装置１０２と接続されているおり、その結果これら２つの構成要素の間でデータ交換を行うことができる。トランシーバ１１１とＮＦコントローラ１０４との間のコネクションを介して、オーディオ信号をＮＦコントローラ１０４と交換することができる。
【００２８】
選択的に、通信装置１０２をインタフェースを介してＧＰＳ受信モジュール１１４と接続することができる。この場合、正確な車両位置を検出することができるので、この車両位置を非常呼出または故障救援の要求が送出されるときに、移動無線ネットワークを介して同時に伝送することができる。この場合通信装置１０１はいわゆるテレマティック端末機器の機能を有する。
【００２９】
さらに通信装置１０１を、インタフェースを介してそれ自体は公知の車両ナビゲーションシステム１１５と接続することができる。したがって通信装置１０１を介して、移動無線コネクションを介して受信した交通に関するデータをナビゲーションシステムに転送することができる。したがっていわゆる動的な目的地案内（ｄｙｎａｍｉｃ　ｎａｖｉｇａｔｉｏｎ）が実現される。
【００３０】
さらに通信装置１０１を自動車のオーディオシステム１１６と接続することができる。この場合スピーカ１０５、１０６は例えばオーディオシステムの構成要素であっても良い。
【００３１】
別の構成では、通信装置１０１を車両マルチメディアシステム１１７と接続することができ、その結果例えば通信装置１０１を介して車両内でのインターネットアクセスを実現することができる。
【００３２】
本発明による通信システムの構成要素は少なくとも１つの付加的な移動無線機器１１８、１１９である。これらの移動無線機器は公知のように移動無線モジュール、ユーザインタフェース及びアンテナを有し、したがって通信システム１０１に依存せずに使用することができる。移動無線機器１１８、１１９はその点において市販の携帯電話である。これらの機器では通例であるように、移動無線機器１１８、１１９はそれぞれＳＩＭカードを有し、このＳＩＭカードによって識別を移動無線ネットワークにおいて行うことができる。
【００３３】
移動無線機器１１８、１１９は付加的に短距離無線装置を有し、この短距離無線装置は実質的に通信装置１０１内の短距離無線装置と対応するものである。相応の短距離無線装置はまた、ドイツ連邦共和国特許明細書第１９９　２１　５３３．２号において、車両用の通信システムとの関連で既に記載されている。今や通信装置１０１及び移動無線機器１１８、１１９の短距離無線装置を介してデータ交換が可能である。アンテナ１１３及びトランシーバ１１１を介して移動無線機器１１８、１１９によって受信されたデータが制御ユニット１０２に転送される。相応のプログラムによって、制御ユニットにおいては受信した移動無線データが、メモリ装置１１２に記憶されているデータと比較される。比較は、例えば移動無線機器１１８、１１９の機器検出に関する所定の指標に関して行われる。この比較の結果が肯定であれば、すなわち移動無線機器１１８、１１９は認証された機器であれば、通信装置１０１からセルラ移動無線システムへの移動無線コネクションが自動的に行われる。この移動無線コネクションの枠内では、状態メッセージが移動無線システムのサーバに伝送され、このサーバは例えば移動無線機器１１８、１１９から通信装置１０１へのコールの経路変更を起動する。これによって、移動無線機器１１８、１１９に指向された通話がセルラ移動無線ネットワークにおける移動無線コネクションを介して通信装置１０１へと伝送され、しかしながら他方では場合によっては生じる通話料の清算が移動無線機器１１８、１１９のＳＩＭカードによって行われる。
【００３４】
車両内の通信装置としてのテレマティック機器（ＴＧ）及び移動無線機器としての１つまたは複数の移動電話を有する通信システムに関して生じる異なる状況に対する種々の方法を、以下図２から図５に基づき説明する。
【００３５】
図２は、コールの経路変更の最初の登録及び起動を行うための方法の経過を示す。すなわち移動電話１１８、１１９が初めて通信装置１０１の短距離領域に進入したときに開始される方法の経過の一例である。後述する方法の例においても同様に示しているが個々のステップは異なる段に示されており、これらのステップは移動電話の内部で、短距離通信、移動無線ネットワークを介して、車両内の通信装置の内部で実行される。
【００３６】
図２による初期状況では、ステップ２０１において移動電話がスイッチオンされ、テレマティック機器ＴＧである通信装置は登録モードにある（ステップ２０２）。登録モードは例えばメニューにおいて調整することができ、新たな通信装置の最初の登録を行うことができる。ステップ２０３では、移動電話はテレマティック機器ＴＧの短距離通信領域内にある。短距離通信装置は、それ自体は公知のいわゆるブルートゥース方式により動作する装置である。ステップ２０４では、テレマティック機器及び移動電話の相互識別が行われる。この場合ステップ２０４の終了後に、移動電話は初めてテレマティック機器ＴＧの短距離通信領域にあることが確定される。ステップ２０５及び２０６では、移動電話においてもテレマティック機器においても相応の状態表示が行われる。状態表示を例えばアイコンとすることができ、このアイコンは移動電話及びテレマティック機器のそれぞれのディスプレイに表示され、新たな機器が短距離無線領域内にあることをユーザに記号で表す。
【００３７】
ユーザは新たに識別された移動電話を、テレマティック機器と共に通信システムにおいて使用するために認証することができ、コールの経路変更を移動無線システムにおいて登録及び起動することができる。このことはステップ２０７において移動電話でも、ステップ２０８においてテレマティック機器でも行うことができる。このために例えば移動電話ないしテレマティック機器における相応のキーを起動することができ、その後自動的にステップ２０９において移動無線ネットワークへの移動無線コネクションが確立され、コールの経路変更の相応の通知がネットワークオペレータに伝送される。しかしながら択一的に、コールの経路変更をステップ２１０、２１１において移動電話またはテレマティック機器において拒絶することもできる。拒絶を例えば相応のキーの操作によって行うこともできる。しかしながら択一的な実施形態では拒絶を時間的に制御することもでき、その結果テレマティック機器の短距離通信領域に移動電話が進入した後に、コールの経路変更が起動されることなく所定の時間間隔が経過するとこのコールの経路変更は拒絶されたものと見なされる。コールの経路変更が移動無線ネットワークにおいて既に起動されている変形実施形態では、ステップ２１０ないし２１１においてそのようなコールの経路変更を解除することもでき、相応の通知がステップ２１２において、移動無線ネットワークを介して移動無線オペレータのサーバに伝送される。ステップ２０９、２１２に続いて、新たに識別及び認証ステップ２０４が引き続き行われ、その結果コールの経路変更を何時でも起動ないし解除することができる。このことを例えばテレマティック機器のスタンバイモードにおいても可能である。
【００３８】
図３は、移動電話に通話が到来する場合の方法の経過を示す。ここでステップ３０１から３０６はステップ２０１から２０６と広範にわたり一致する。コールの経路変更が移動無線ネットワークにおいて移動電話に対して起動されていることが基礎とされる。このことは参照記号「１」で表された結合点によって示されており、この結合点は図２による相応の結合点と同一である。ステップ３０８では、移動電話に対するコールが移動無線ネットワークに到来する。
【００３９】
ステップ３０９では、移動無線ネットワークにおいてテレマティック機器へのコールの経路変更が行われる。ステップ３１０では到来したコールがテレマティック機器において受信され、これに続くステップ３１１では、コールがテレマティック機器において表示される。テレマティック機器は短距離通信インタフェースを介して、コールが到来したことを示唆する信号を移動電話に伝送する。このためにステップ３１２では短距離通信内で同期が行われ、その結果続くステップ３１３では移動電話のディスプレイにコールが到来したことの示唆を表示することができる。引き続きステップ３１４では通話を移動電話に伝送することができる、またはステップステップ３１５では通話をテレマティック機器に伝送することができる。
【００４０】
ステップ３１４においてコールが移動電話に伝送されると、引き続きステップ３１６では通話が移動電話を介して行われる。これに対してステップ３１５では、コールがテレマティック機器に伝送され、引き続きステップ３１７では通話がテレマティック機器のハンドフリー装置を介して行われる。いずれかの機器を介して通話が行われるということにかかわらず、ステップ３１８では短距離通信インタフェースを介して再び移動電話とテレマティック機器との間の同期が行われる。これによって、その時点にコールのために使用されていない機器に何時でもコールを伝送することができる。例えば通話をテレマティック機器を介して行う場合には、ステップ３１９で通話を相応のキーを押すことによって移動電話に伝送することができる、またはステップ３２０で通話を終了することができる。同様にステップ３１６において移動電話を介して通話を行う場合には、ステップ３２１で通話をテレマティック機器に伝送することもできる、またはステップ３２２で通話をテレマティック機器において終了することができる。ステップ３１９において通話が移動電話に伝送される場合には、それに続くステップ３１６では移動電話において通話を行うことができ、他方では相応にステップ３２１においてコールがテレマティック機器に伝送される場合には、ステップ３１７において通話が行われる。このことは結合点ＣないしＤによって表されている。
【００４１】
したがって説明した方法では、コールは常にテレマティック機器への移動無線コネクションを介して到来し、これによって例えば車両に取り付けられたテレマティック機器のアンテナを使用することができる。通話自体を移動電話においても行うことができる。後者の場合には、短距離通信装置を介したコールの転送が行われる。
【００４２】
図４には別の実施例として、２つの移動電話がコールの経路変更によってテレマティック機器と接続されている方法の経過が図示されている。第１の移動電話を介して既に通話が行われており、他方ではこれと同時に第２の移動無線機器に対するコールがテレマティック機器に到来している。第１の通話に関しては、参照記号２で示した結合点において、図３で説明した方法に続く方法が移動無線ネットワークの内部で行われる。第２の移動電話に関してはコールの経路変更がネットワークにおいて同様に起動されているので、移動無線ネットワークに関しては、参照記号１で示した結合点において図２による方法の続きが行われる。
【００４３】
ステップ４０１から４０６はステップ３０１から３０６に対応するが、ここではこれらのステップが第２の移動電話に関するという点で異なる。上述した初期状況から出発して、ステップ４０８では第２の移動電話に対するコールが移動無線ネットワークに到来する。既に図３と関連させて説明した方法に類似して、このコールはコールの経路変更に基づきテレマティック機器において受信され（ステップ４１０）、ステップ４１１ではこのコールがテレマティック機器に表示される。ステップ３１２と同様にステップ４１２では同期が行われ、続いて到来したコールが表示されるが、ここではしかしながら第２の移動電話において表示される（ステップ４１３）。
【００４４】
ここでステップ４１２での短距離通信における同期に続いて、異なる機能をテレマティック機器において実施することができる。テレマティック機器を介して既に通話が行われているので、この通話に関する種々の可能性が存在する。これについては以下説明する。例えばステップ４１４では通話が第２の移動電話に転送される。この結果ステップ４１５では、第２の移動電話に対するコールの経路変更が移動無線ネットワーク内で自動的に解除される。引き続きステップ４１６では、第２のコールを移動無線ネットワークを介して第２の移動電話において直接的に受信することができ、通常の移動電話における通話が行われる。
【００４５】
しかしながら、ステップ４１４において第２のコールを移動電話に転送することに対して択一的に、ステップ４１５においても第２のコールを伝送し、仲介し（ステップ４１６）、第２のコールを拒絶し（ステップ４１７）、または２つのコールを用いた通話会議（ｃａｌｌ　ｃｏｎｆｅｒｅｎｃｅ）を起動する（ステップ４１８）ことが可能である。これらの場合では第２の通話がテレマティック機器を介して行われ（ステップ４１９）、引き続きステップ４２０においては同期が短距離無線コネクションを介して移動電話２とテレマティック機器との間で再び行われる。続いて、ステップ４２１ではコールを移動電話２に伝送することができる、またはステップ４２２ではコールを移動電話２において終了することができる。ステップ４２１においてコールが移動電話２に伝送される場合には、続いてステップ４２３において通話が第２の移動電話を介して行われる。ここでもまたステップ４２０において、移動電話とテレマティック機器との間の同期が行われる。
【００４６】
通話が第２の移動電話を介して行われる場合には、最終的に再びステップ４２４においてコールをテレマティック機器に伝送することができ、続くステップ４１９においてテレマティック機器を介して通話を行うことができる。このことは結合点Ｄによって示唆されている。択一的にステップ４２５において、通話をテレマティック機器によって終了することができる。
【００４７】
上述した機能は、実質的にプログラムの形でテレマティック機器に記憶されており、このテレマティック機器において実行される。コールの経路変更の既述の方法では、第２の移動電話へのコールに対して場合によっては生じる全ての通話料金がこの第２の移動電話のＳＩＭカードにも割り当てられ、このことは第２の移動電話またはテレマティック機器を介して通話が行われるか否かに依存しない。
【００４８】
図５には、送出される通話に関する方法の経過が図示されている。図１と繋がっている参照記号１で示した結合点からも分かるように、移動電話に対するコールの経路変更は移動無線ネットワークにおいて起動されている。ステップ５０１から５０６はここでもまたステップ３０１から３０６ないし４０１から４０６と対応している。ステップ５０４において移動電話及びテレマティック機器を識別及び認証した後に、ステップ５０７ないし５０８では移動電話ないしテレマティック機器にコールすることができる。コール後にはステップ５０９において再び、移動電話とテレマティック機器との間の同期が行われる。引き続きステップ５１０ではコールがテレマティック機器に送信され、これに続いてステップ５２１において移動無線ネットワークでは、逆の局において受信できるコールが送出される。
【００４９】
ステップ５１０に続いてステップ５２１と並行に、ステップ５１１では再び短距離無線コネクションの同期が行われる。これに続いて相応の状態表示５１２ないし５１３が移動電話ないしテレマティック機器において行われる。
【００５０】
移動電話においてコールが行われた場合には、ステップ５１４において移動電話を介する通話が行われる。テレマティック機器を介してコールが行われた場合には、ステップ５１５においてテレマティック機器のハンドフリー装置を介する通話が行われる。いずれの場合もステップ５１６において、同期が短距離無線コネクションを介して行われる。ステップ５１５において通話がテレマティック機器を介して行われる場合には、ステップ５１７において通話を移動電話に伝送することもでき、続いてステップ５１４においてさらなる処理が行われる。これは結合点Ｃで表されている。ステップ５１８では、通話を移動電話において終了することもできる。これに対して通話が移動電話を介して行われる場合には、ステップ５１９において通話をテレマティック機器に伝送することができ、続いてステップ５１５が行われる。これは結合点Ｄで表されている。この場合ステップ５２０では通話をテレマティック機器において終了することもできる。
【００５１】
したがって通話が送出される場合であっても、コールの経路変更がオンされていれば移動無線コネクションはテレマティック機器を介して確立される。しかしながら通話料を移動電話のＳＩＭカードに割り当てることは、起動されているコールの経路変更に基づいて行われる。本来的な通話を移動電話においてもテレマティック機器においても行うことができる。通話の切換は前述した例のように、常に移動電話とテレマティック機器との間の短距離無線コネクションを介して行われるが、移動無線コネクションは常にテレマティック機器から移動無線ネットワークに向かって確立される。
【００５２】
テレマティック機器へのコールの経路変更によって２つの移動電話が動作する場合には、以下簡単に説明する別の状況が生じる可能性がある。全ての例は、２つの移動電話からテレマティック機器へのコールの経路変更が起動されていることを前提とする。
【００５３】
これに関して次の例は、第１の移動電話を用いて通話が行われ、第２の移動電話にコールが送出される状況である。第１のコールはテレマティック機器または第１の移動電話を介して行うことができる。ここで第２のコールは第２の移動電話を用いて行われる。しかしながらテレマティック機器から移動無線ネットワークへの移動無線コネクションは既に確立されているので、移動無線の第２の通話は直接的に第２の移動無線機器からしか行えない。このためにコールの経路変更は自動的に解除される。通話料はそれぞれの移動無線電話に割り当てられる。
【００５４】
別の実施例では通話はコールの経路変更がオンされている場合に行われ、他方ではそれと同時にテレマティックデータが伝送される。通話をテレマティック機器または移動電話を介して行うことができ、他方ではそれと同時に例えば診断データまたは交通データのようなテレマティックデータを伝送することができる。したがって並行的な通話トラフィックとデータトラフィックが可能である。テレマティック費用の精算はテレマティック機器のＳＩＭカードによって行われ、通話料の清算は移動電話のＳＩＭカードによって行われる。
【００５５】
本発明による方法ないし本発明による通信システムでもって、車両に統合されたハンドフリー装置を使用する車両内の快適な通信が可能であり、同時に種々のサービスに対する費用を車両ないしユーザ固有の端末機器に割り当てることができる。このことは例えば、自動的なコールの経路変更によってセルラ移動無線システムにおいて実現され、また端末機器間の短距離通信によって実現される。これに関して既述の実施形態の他にも具体的な複数の実施形態が考えられる。
【図面の簡単な説明】
【図１】
本発明による通信装置及び本発明による通信システムである。
【図２】
第１の方法の経過である。
【図３】
第２の方法の経過である。
【図４】
第３の方法の経過である。
【図５】
第４の方法の経過である。
【図１】
2004509494.tif 000003
【図２】
2004509494.tif 000004
【図３】
2004509494.tif 000005
【図４】
2004509494.tif 000006
【図５】
2004509494.tif 000007
【国際公開パンフレット】
2004509494.tif 000008
2004509494.tif 000009
2004509494.tif 000010
2004509494.tif 000011
2004509494.tif 000012
2004509494.tif 000013
2004509494.tif 000014
2004509494.tif 000015
2004509494.tif 000016
2004509494.tif 000017
2004509494.tif 000018
2004509494.tif 000019
2004509494.tif 000020
2004509494.tif 000021
2004509494.tif 000022
2004509494.tif 000023
2004509494.tif 000024
2004509494.tif 000025
2004509494.tif 000026
2004509494.tif 000027
2004509494.tif 000028
2004509494.tif 000029
2004509494.tif 000030
2004509494.tif 000031
2004509494.tif 000032
2004509494.tif 000033
2004509494.tif 000034
2004509494.tif 000035
2004509494.tif 000036
2004509494.tif 000037
2004509494.tif 000038
2004509494.tif 000039
2004509494.tif 000040
2004509494.tif 000041
2004509494.tif 000042
【国際調査報告】
2004509494.tif 000043
2004509494.tif 000044
2004509494.tif 000045
2004509494.tif 000046
2004509494.tif 000047
2004509494.tif 000048